(57)【要約】【課題】ついで買いを促進できる。【解決手段】本願に係る端末制御プログラムは、ユーザが来店した店舗を識別するための情報である識別情報に基づいて、店舗における取引対象に関する情報である対象情報（例えば、店舗における取引対象である商品に関する広告）を取得する取得手順と、取得手順が取得した対象情報を店舗に対する決済を行うための画面に表示（例えば、商品の画像や商品の価格を含む広告を、ユーザに選択可能に表示）する表示手順とをコンピュータに実行させることを特徴とする。【選択図】図１
2020027515.tif 000002
【特許請求の範囲】
【請求項１】
ユーザが来店した店舗を識別するための情報である識別情報に基づいて、前記店舗における取引対象に関する情報である対象情報を取得する取得手順と、
前記取得手順が取得した対象情報を前記店舗に対する決済を行うための画面に表示する表示手順と
をコンピュータに実行させることを特徴とする端末制御プログラム。
【請求項２】
前記表示手順が表示した対象情報が選択された場合、選択された対象情報に対応する取引対象の価格に基づいて前記店舗に対する決済金額を更新する更新手順
をさらにコンピュータに実行させることを特徴とする請求項１に記載の端末制御プログラム。
【請求項３】
前記取得手順は、
前記ユーザに関する情報に基づいて前記対象情報を取得する
ことを特徴とする請求項１又は２に記載の端末制御プログラム。
【請求項４】
前記取得手順は、
前記ユーザの属性情報又は購入履歴に基づいて前記対象情報を取得する
ことを特徴とする請求項１から３のいずれか一つに記載の端末制御プログラム。
【請求項５】
前記取得手順は、
前記店舗に対する決済を行う際の天候情報に基づいて前記対象情報を取得する
ことを特徴とする請求項１から４のいずれか一つに記載の端末制御プログラム。
【請求項６】
前記取得手順は、
前記店舗に対する決済を行う際の時間帯に基づいて前記対象情報を取得する
ことを特徴とする請求項１から５のいずれか一つに記載の端末制御プログラム。
【請求項７】
前記取得手順は、
前記店舗に対する決済金額に基づいて前記対象情報を取得する
ことを特徴とする請求項１から６のいずれか一つに記載の端末制御プログラム。
【請求項８】
前記取得手順は、
前記店舗が利用する端末装置周辺の前記取引対象に関する前記対象情報を取得する
ことを特徴とする請求項１から７のいずれか一つに記載の端末制御プログラム。
【請求項９】
前記取得手順は、
前記店舗の管理者により提供可能な前記取引対象に関する前記対象情報を取得する
ことを特徴とする請求項１から８のいずれか一つに記載の端末制御プログラム。
【請求項１０】
前記取得手順は、
前記対象情報として前記店舗における取引対象である商品に関する広告を取得する
ことを特徴とする請求項１から９のいずれか一つに記載の端末制御プログラム。
【請求項１１】
ユーザが利用する端末装置の位置を示す位置情報に基づいて店舗を特定する特定部と、
前記特定部が特定した店舗における取引対象に関する情報であって、前記端末装置による前記店舗に対する決済を行うための画面に表示される情報である対象情報を前記端末装置に配信する配信部と
を備えることを特徴とする情報処理装置。
【請求項１２】
前記配信部は、
前記特定部が特定した店舗が利用する端末装置において受付可能な情報を含む前記対象情報を配信する
ことを特徴とする請求項１１に記載の情報処理装置。
【請求項１３】
ユーザが来店した店舗を識別するための情報である識別情報に基づいて、前記店舗における取引対象に関する情報である対象情報を取得する取得部と、
前記取得部が取得した対象情報を前記店舗に対する決済を行うための画面に表示する表示部と
を備えることを特徴とする端末装置。
【請求項１４】
コンピュータが実行する端末制御方法であって、
ユーザが来店した店舗を識別するための情報である識別情報に基づいて、前記店舗における取引対象に関する情報である対象情報を取得する取得工程と、
前記取得工程が取得した対象情報を前記店舗に対する決済を行うための画面に表示する表示工程と
を含むことを特徴とする端末制御方法。
【請求項１５】
コンピュータが実行する情報処理方法であって、
ユーザが利用する端末装置の位置を示す位置情報に基づいて店舗を特定する特定工程と、
前記特定工程が特定した店舗における取引対象に関する情報であって、前記端末装置による前記店舗に対する決済を行うための画面に表示される情報である対象情報を前記端末装置に配信する配信工程と
を含むことを特徴とする情報処理方法。
【請求項１６】
ユーザが利用する端末装置の位置を示す位置情報に基づいて店舗を特定する特定手順と、
前記特定手順が特定した店舗における取引対象に関する情報であって、前記端末装置による前記店舗に対する決済を行うための画面に表示される情報である対象情報を前記端末装置に配信する配信手順と
をコンピュータに実行させることを特徴とする情報処理プログラム。
【発明の詳細な説明】
【技術分野】
【０００１】
本発明は、端末制御プログラム、情報処理装置、端末装置、端末制御方法、情報処理方法、及び情報処理プログラムに関する。
【背景技術】
【０００２】
従来、ＰＯＳレジを利用した追加販売処理を行う技術が知られている。例えば、ＰＯＳレジは、小売店での会計時に、購入した商品に呼応する商品情報を宣伝情報としてＰＯＳレジの客面画面に表示する。そして、消費者が客面画面に表示した商品情報の追加購入申請がＰＯＳレジの客面入力装置を介して行われた場合、ＰＯＳレジが追加購入情報に基づき精算処理を行う技術が提案されている。
【先行技術文献】
【特許文献】
【０００３】
【特許文献１】特開２００４−３５５０９１号公報
【発明の概要】
【発明が解決しようとする課題】
【０００４】
しかしながら、上記の従来技術では、ついで買いを促進できるとは限らない。例えば、上記の従来技術では、商品情報を表示した客面画面が消費者に視認されない場合があり、必ずしもついで買いを促進できるとは限らない。
【０００５】
本願は、上記に鑑みてなされたものであって、ついで買いを促進できる端末制御プログラム、情報処理装置、端末装置、端末制御方法、情報処理方法、及び情報処理プログラムを提供することを目的とする。
【課題を解決するための手段】
【０００６】
本願に係る端末制御プログラムは、ユーザが来店した店舗を識別するための情報である識別情報に基づいて、前記店舗における取引対象に関する情報である対象情報を取得する取得手順と、前記取得手順が取得した対象情報を前記店舗に対する決済を行うための画面に表示する表示手順とをコンピュータに実行させることを特徴とする。
【発明の効果】
【０００７】
実施形態の一態様によれば、ついで買いを促進できるという効果を奏する。
【図面の簡単な説明】
【０００８】
【図１】図１は、第１の実施形態に係る情報処理の一例を示す図である。
【図２】図２は、第２の実施形態に係る情報処理の一例を示す図である。
【図３】図３は、実施形態に係る情報処理システムの構成例を示す図である。
【図４】図４は、実施形態に係る情報処理装置の構成例を示す図である。
【図５】図５は、実施形態に係る広告情報記憶部の一例を示す図である。
【図６】図６は、実施形態に係るユーザ情報記憶部の一例を示す図である。
【図７】図７は、実施形態に係る端末装置の構成例を示す図である。
【図８】図８は、第１の実施形態に係る情報処理手順の一例を示すフローチャートである。
【図９】図９は、端末装置の機能を実現するコンピュータの一例を示すハードウェア構成図である。
【発明を実施するための形態】
【０００９】
以下に本願に係る端末制御プログラム、情報処理装置、端末装置、端末制御方法、情報処理方法、及び情報処理プログラムを実施するための形態（以下、「実施形態」と呼ぶ）について図面を参照しつつ詳細に説明する。なお、この実施形態により本願に係る端末制御プログラム、情報処理装置、端末装置、端末制御方法、情報処理方法、及び情報処理プログラムが限定されるものではない。また、以下の各実施形態において同一の部位には同一の符号を付し、重複する説明は省略される。
【００１０】
〔１．実施形態〕
〔１−１．第１の実施形態における情報処理の一例〕
図１を用いて、本実施形態の端末制御プログラム等により実現される情報処理を説明する。図１は、第１の実施形態に係る情報処理の一例を示す図である。図１に示す例において、情報処理システム１は、情報処理装置１００及び端末装置２００を有する。情報処理装置１００と、端末装置２００とは、図示しない所定の通信網を介して、有線又は無線により通信可能に接続される。なお、図１に示す情報処理システム１は、複数台の情報処理装置１００や、複数台の端末装置２００が含まれてもよい。
【００１１】
図１に示す情報処理装置１００は、店舗との決済処理を代行する決済代行サービスを端末装置２００に配信するサーバ装置である。また、情報処理装置１００は、各店舗の管理者等から入稿される、各店舗における取引対象の商品の広告に関する広告情報を管理し、入稿された広告情報を決済代行サービスにおいて端末装置２００に配信する。また、情報処理装置１００は、端末装置２００によって受付可能な情報であり、各店舗を識別するための情報である店舗識別情報を各店舗が利用する端末装置等に配信する。なお、情報処理装置１００は、決済代行サービスに関するアプリケーションのデータそのものを配信するサーバであってもよい。
【００１２】
図１に示す端末装置２００は、ユーザによって利用される情報処理装置である。端末装置２００は、例えば、スマートフォンや、タブレット型端末や、ノート型ＰＣ（Personal  Computer）や、デスクトップＰＣや、携帯電話機や、ＰＤＡ（Personal  Digital  Assistant）等により実現される。また、端末装置２００は、情報処理装置１００によって配信される情報を、ウェブブラウザやアプリケーションにより表示する。また、端末装置２００は、情報処理装置１００によって配信される情報の表示処理を実現する制御情報を情報処理装置１００から受け取った場合には、制御情報に従って表示処理を実現する。
【００１３】
なお、図１に示す例において、端末装置２００は、ユーザＵ１によって利用されるスマートフォンやタブレット等のスマートデバイスである場合を示す。また、図１に示す例では、端末装置２００は、液晶ディスプレイ等の出力部（以下、画面と記載する場合がある）を有し、タッチパネルが採用されているものとする。すなわち、ユーザは、指や専用ペンで出力部の表示面をタッチすることにより端末装置２００の各種操作を行う。
【００１４】
以下、図１を用いて、端末装置２００が行う情報処理について説明する。なお、以下の説明では、実店舗である店舗Ａに来店したユーザＵ１が端末装置２００を用いて、情報処理装置１００が提供する決済代行サービスにより店舗Ａにて購入する商品の決済（クレジットカードを利用したカード決済や、電子マネーを利用した決済などの電子決済）を行う例を示す。また、以下の説明では、情報処理装置１００が提供する決済代行サービスにかかる画面Ｗ１〜Ｗ４が、端末装置２００に配信済みであるものとする。また、以下の説明において、店舗Ａの管理者Ｍ１（店舗の責任者や、店員等）は、情報処理装置１００から配信された店舗識別情報（ＱＲコード（登録商標））を印刷用紙等の媒体に印刷し、保持しているものとする。また、以下の説明において、端末装置２００は、管理者Ｍ１が保持する店舗識別情報を撮像する撮像部を有しているものとする。
【００１５】
まず、図１に示すように、端末装置２００は、管理者Ｍ１が保持する店舗Ａの店舗識別情報（ＱＲコード（登録商標））を受け付ける（ステップＳ１１）。図１の例において、端末装置２００は、撮像した画像を表示するための領域ＡＲ１を含む画面Ｗ１を表示する。そして、端末装置２００は、管理者Ｍ１が提示したＱＲコード（登録商標）を撮像することにより、領域ＡＲ１に表示されたＱＲコード（登録商標）を店舗識別情報として受け付ける。
【００１６】
続いて、端末装置２００は、画面Ｗ１から画面Ｗ２に遷移させ、ユーザＵ１から店舗Ａに対する決済の要求に関する決済情報の入力を受け付ける（ステップＳ１２）。図１に示すように、画面Ｗ２は、決済金額、決済方法、情報処理装置１００が提供する決済代行サービスにおいて利用可能なポイント等の決済情報を入力するための領域ＡＲ２、並びに、決済情報を確定させる操作を行うための領域ＡＲ３を含む。図１の例において、ユーザＵ１が領域ＡＲ２に決済情報を入力後、領域ＡＲ３がタッチ操作等によって選択されることにより、端末装置２００は、決済情報の入力を受け付ける。
【００１７】
続いて、端末装置２００は、ステップＳ１１において受け付けた店舗識別情報を情報処理装置１００に送信する（ステップＳ１３）。図１の例において、端末装置２００は、ステップＳ１１において受け付けたＱＲコード（登録商標）によって示される店舗Ａの店舗識別情報を情報処理装置１００に送信する。
【００１８】
続いて、端末装置２００は、ステップＳ１３において送信した店舗識別情報に基づいて情報処理装置１００の記憶部から抽出された広告情報を取得する（ステップＳ１４）。図１に示すように、情報処理装置１００は、店舗識別情報（店舗ＩＤ）に対応付けて、店舗の管理者等によって入稿された店舗における取引対象の商品の広告、広告に対応する商品の価格等の情報を記憶部に格納する。なお、図１では、「ＣＴ１」といった概念的な情報が広告として情報処理装置１００の記憶部に格納する例を示したが、実際には、広告文や広告に関連する画像等の具体的な情報、または、その格納場所を示すファイルパス名、ＵＲＬなどが格納される。図１の例において、端末装置２００は、店舗Ａの店舗識別情報（店舗ＩＤ「ＳＨ１」）に対応する広告「ＣＴ１」及び広告にかかる商品の価格「１００（円）」を、広告情報として情報処理装置１００から取得する。
【００１９】
続いて、端末装置２００は、画面Ｗ２から、ユーザＵ１が入力した決済情報の確認画面である画面Ｗ３に遷移させ、画面Ｗ３にステップＳ１４において取得した広告情報にかかる広告を表示する（ステップＳ１５）。図１に示すように、画面Ｗ３は、ユーザＵ１が入力した決済金額を表示する領域ＡＲ４、広告を表示し、広告にかかる商品の購入を行うための領域ＡＲ５、並びに、決済情報を情報処理装置１００に送信する操作を行うための領域ＡＲ６含む。端末装置２００は、領域ＡＲ５がタッチ操作等によって選択されることにより、広告にかかる商品の購入を受け付ける。
【００２０】
ここで、図１の例において、端末装置２００は、領域ＡＲ５に表示した広告にかかる商品の購入を受け付けたものとする。この場合、端末装置２００は、ユーザＵ１が入力した決済情報に含まれる決済金額を、購入を受け付けた商品の価格を追加した金額に更新する（ステップＳ１６）。図１の例において、端末装置２００は、決済金額を更新すると共に、画面Ｗ３の領域ＡＲ４に表示されていた決済金額を更新後の決済金額に変更し、領域ＡＲ５に表示されていた広告を非表示とした画面Ｗ４に遷移させる。図１に示すように、端末装置２００は、ステップＳ１２において受け付けた決済情報にかかる決済金額「５００（円）」を、広告情報に含まれる広告にかかる商品の価格「１００（円）」を追加した金額「６００（円）」に更新する。
【００２１】
なお、図１の例において、端末装置２００が画面Ｗ４において広告を表示しない例を示したが、情報処理装置１００から店舗Ａに対応付けられた新たな広告を取得し、画面Ｗ４に表示してもよい。
【００２２】
続いて、端末装置２００は、画面Ｗ４の領域ＡＲ６がタッチ操作等によって選択されることにより、更新された決済金額を含む決済情報を情報処理装置１００に送信する（ステップＳ１７）。
【００２３】
なお、図１に示す例では、端末装置２００がユーザＵ１から決済情報の入力を受け付けた後に店舗識別情報を送信し、広告情報を情報処理装置１００から取得する例を示したが、端末装置２００が広告情報を取得するタイミングは、ステップＳ１１において店舗識別情報を受け付けた後であり、画面Ｗ３を表示する前であればいつでもよい。
【００２４】
このようにして、第１の実施形態に係る端末装置２００は、ユーザが来店した実店舗の広告を表示し、広告の選択に応じて決済金額を更新する。
【００２５】
以上のように、第１の実施形態に係る端末装置２００は、ユーザが注視することが想定される決済に関する画面に店舗における取引対象である商品の広告を表示することにより、訴求効果の高い広告表示を行うことができる。また、第１の実施形態に係る端末装置２００は、ユーザによる決済金額の再入力を必要とせず、広告の選択操作のみで決済金額を更新するため、広告にかかる商品のついで買いに伴うユーザの操作負担を軽減できる。また、例えば、店舗が入稿する広告を、ユーザについで買いされやすい傾向にある商品にかかる広告とすることで、高い広告効果が期待できる。すなわち、第１の実施形態に係る端末装置２００は、ついで買いを促進できる。
【００２６】
〔１−２．第２の実施形態における情報処理の一例〕
次に、図２を用いて、本実施形態の情報処理装置等により実現される情報処理を説明する。図２は、第２の実施形態に係る情報処理の一例を示す図である。図２に示す例において、情報処理システム２は、情報処理装置１００、端末装置２００及び店舗端末１０有する。情報処理装置１００と、端末装置２００と、店舗端末１０とは、図示しない所定の通信網を介して、有線又は無線により通信可能に接続される。なお、図２に示す情報処理システム２は、複数台の情報処理装置１００や、複数台の端末装置２００や、複数台の店舗端末１０が含まれてもよい。
【００２７】
図２に示す情報処理装置１００は、店舗との決済処理を代行する決済代行サービスを端末装置２００に配信するサーバ装置である。また、情報処理装置１００は、各店舗の管理者等から入稿される、各店舗における取引対象の商品の広告に関する広告情報を店舗の所在地と対応付けて管理し、入稿された広告情報を決済代行サービスにおいて端末装置２００に配信する。また、情報処理装置１００は、店舗端末１０によって受付可能な情報であり、端末装置２００を利用するユーザを識別するための情報であるユーザ識別情報を端末装置２００に配信する。なお、情報処理装置１００は、決済代行サービスに関するアプリケーションのデータそのものを配信するサーバであってもよい。
【００２８】
図２に示す端末装置２００は、第１の実施形態に係る端末装置２００と同様の構成であるため、説明を省略する。
【００２９】
図２に示す店舗端末１０は、各店舗の管理者（店舗の責任者や、店員等）によって利用される情報処理装置である。店舗端末１０は、ＰＯＳ（Point  of  Sales  system）端末や、スマートフォンなどの携帯電話機や、タブレット端末や、ＰＤＡや、デスクトップ型ＰＣや、ノート型ＰＣ等である。
【００３０】
なお、図１に示す例では、店舗端末１０は、店舗Ａの管理者Ｍ１が利用するＰＯＳ端末である場合を示す。また、図１に示す例において、店舗端末１０は、バーコードを読み取り可能なスキャン装置を備えているものとする。また、図１に示す例において、店舗端末１０は、店舗Ａにおける取引対象である商品に関する商品情報（例えば、商品名、商品の価格など）を、バーコード（商品を識別するための情報である商品識別情報）に対応付けて記憶部に格納しているものとする。
【００３１】
以下、図１を用いて、端末装置２００が行う情報処理について説明する。なお、以下の説明では、実店舗である店舗Ａに来店したユーザＵ１が端末装置２００を用いて、情報処理装置１００が提供する決済代行サービスにより店舗Ａにて購入する商品の決済（クレジットカードを利用したカード決済や、電子マネーを利用した決済などの電子決済）を行う例を示す。また、以下の説明では、情報処理装置１００が提供する決済代行サービスにかかる画面Ｗ５が、端末装置２００に配信済みであるものとする。また、以下の説明において、端末装置２００は、端末装置２００の位置情報を受信するＧＰＳ受信アンテナを備えているものとする。
【００３２】
まず、図１に示すように、店舗端末１０は、ユーザＵ１による店舗Ａへの決済金額を受け付ける（ステップＳ２１）。例えば、店舗端末１０は、ユーザＵ１が提示した商品に付されたバーコードをスキャン装置によって読み取る。そして、店舗端末１０は、読み取ったバーコード（商品識別情報）に対応する商品情報に含まれる商品の価格を店舗端末１０の記憶部から特定し、特定した価格をユーザＵ１による決済金額として受け付ける。
【００３３】
続いて、情報処理装置１００は、端末装置２００から端末装置２００の位置情報を受け付ける（ステップＳ２２）。図２の例では、情報処理装置１００は、端末装置２００が画面Ｗ５を表示するための操作をユーザＵ１から受け付けたことを契機として送信する位置情報を受け付ける。
【００３４】
続いて、情報処理装置１００は、端末装置２００の位置情報に基づいて特定される店舗の広告情報を端末装置２００に配信する（ステップＳ２３）。図２に示すように、情報処理装置１００は、店舗の所在地に対応付けて、店舗の管理者等によって入稿された店舗における取引対象の商品の広告、広告に対応する商品の二次元コードデータ等の情報を記憶部に格納する。なお、図２の例では、「ＣＴ１」といった概念的な情報が広告として情報処理装置１００の記憶部に格納する例を示したが、実際には、広告文や広告に関連する画像等の具体的な情報、または、その格納場所を示すファイルパス名、ＵＲＬなどが格納される。また、図２の例では、「コード１」といった概念的な情報が二次元コードデータとして情報処理装置１００の記憶部に格納する例を示したが、実際には、広告「ＣＴ１」にかかる商品を店舗端末１０によって識別可能なバーコード、または、その格納場所を示すファイルパス名、ＵＲＬなどが格納される。
【００３５】
図２の例では、情報処理装置１００は、端末装置２００の位置情報に基づいてユーザＵ１が店舗Ａに来店していると特定する。そして、情報処理装置１００は、情報処理装置１００の記憶部を参照し、店舗Ａに対応する広告「ＣＴ１」及び二次元コードデータ「コード１」を広告情報として端末装置２００に配信する。
【００３６】
続いて、端末装置２００は、端末装置２００を利用するユーザＵ１を識別するユーザ識別情報及び情報処理装置１００から配信された広告を画面に表示する（ステップＳ２４）。図２の例において、端末装置２００は、二次元コード（バーコード及びＱＲコード（登録商標））によって示されるユーザ識別情報を表示するための領域ＡＲ７、並びに、ステップＳ２３において情報処理装置１００から配信された広告情報にかかる広告を表示するための領域ＡＲ８含む画面Ｗ５を表示する。
【００３７】
ここで、図２の例において、領域ＡＲ８に表示した広告がタッチ操作等によって選択されたものとする。この場合、端末装置２００は、選択された広告に応じたバーコードを表示する（ステップＳ２５）。図２の例において、端末装置２００は、画面Ｗ５において領域ＡＲ８に表示していた広告を、ステップＳ２３において配信された二次元コードデータに基づくバーコードに変更した画面Ｗ６に遷移させる。または、端末装置２００は、画面Ｗ５において領域ＡＲ８に表示していた広告を非表示とし、領域ＡＲ７に表示していたユーザ識別情報を示す二次元コードを、ユーザ識別情報、並びに、ステップＳ２３において配信されたバーコードによって示される商品識別情報を含む二次元コードに更新した画面Ｗ７に遷移させる。
【００３８】
続いて、店舗端末１０は、端末装置２００に表示されたバーコードを受け付ける（ステップＳ２５）。ここで、端末装置２００に画面Ｗ６が表示されている場合、店舗端末１０は、まず領域ＡＲ８に表示されたバーコードを読み取ることで、決済金額を、画面Ｗ５に表示された広告にかかる商品の価格を追加した金額に更新する。その後、店舗端末１０は、領域ＡＲ７に表示されたユーザ識別情報を示すバーコードを読み取ることで、ユーザＵ１による店舗Ａへの決済の要求に関する決済情報の内容を確定する。
【００３９】
また、端末装置２００に画面Ｗ６が表示されている場合、店舗端末１０は、領域ＡＲ７に表示されたユーザ識別情報及び商品識別情報を示すバーコードを読み取ることで、決済金額を、画面Ｗ５に表示された広告にかかる商品の価格を追加した金額に更新し、決済情報の内容を確定する。
【００４０】
続いて、店舗端末１０は、ステップＳ２５において確定した決済情報を情報処理装置１００に送信する（ステップＳ２６）。
【００４１】
このようにして、第２の実施形態に係る情報処理装置１００は、ユーザが来店した実店舗の広告をバーコードと共に端末装置２００に配信し、広告の選択に応じて表示されるバーコードを店舗端末１０が読み取ることにより決済金額の更新を可能とする。
【００４２】
以上のように、第２の実施形態に係る情報処理装置１００は、ユーザが注視することが想定される決済に関する画面において、店舗における取引対象である商品の広告を配信することにより、訴求効果の高い広告配信を行うことができる。また、第２の実施形態に係る情報処理装置１００は、ユーザが利用する端末装置を店舗の管理者に提示するだけで広告にかかる商品の決済が完了するため、ついで買いに伴うユーザの操作負担を軽減できる。すなわち、第１の実施形態に係る端末装置２００は、ついで買いを促進できる。
【００４３】
〔２．情報処理システムの構成〕
次に、上述した情報処理を実現するための情報処理システムについて図３を用いて説明する。図３は、実施形態に係る情報処理システムの構成例を示す図である。図３に示すように、実施形態に係る情報処理システムは、情報処理装置１００と、端末装置２００と、店舗端末１０を含む。情報処理装置１００、端末装置２００及び店舗端末１０は、ネットワークＮを介して有線または無線により相互に通信可能に接続される。なお、ネットワークＮは、ＬＡＮ（Local  Area  Network）、ＷＡＮ（Wide  Area  Network）、電話網（携帯電話網、固定電話網等）、地域ＩＰ（Internet  Protocol）網、インターネット等の通信ネットワークである。ネットワークＮには、有線ネットワークが含まれていてもよいし、無線ネットワークが含まれていてもよい。また、図３に示す情報処理システムには、複数台の情報処理装置１００や、複数台の端末装置２００、複数台の店舗端末１０が含まれてもよい。
【００４４】
情報処理装置１００は、店舗との決済処理を代行する決済代行サービスを端末装置２００に配信するサーバ装置である。また、情報処理装置１００は、各店舗の管理者等から入稿される、各店舗における取引対象の商品の広告に関する広告情報を管理し、入稿された広告情報を決済代行サービスにおいて端末装置２００に配信する。また、情報処理装置１００は、端末装置２００によって受付可能な情報であり、各店舗を識別するための情報である店舗識別情報を各店舗が利用する端末装置等に配信する。また、情報処理装置１００は、店舗端末１０によって受付可能な情報であり、端末装置２００を利用するユーザを識別するための情報であるユーザ識別情報（例えば、バーコードや、ＱＲコード（登録商標））を端末装置２００に配信する。なお、情報処理装置１００は、決済代行サービスに関するアプリケーションのデータそのものを配信するサーバであってもよい。
【００４５】
また、情報処理装置１００は、端末装置２００に制御情報を配信する配信装置として機能してもよい。ここで、制御情報は、例えば、ＪａｖａＳｃｒｉｐｔ（登録商標）等のスクリプト言語やＣＳＳ（Cascading  Style  Sheets）等のスタイルシート言語により記述される。なお、情報処理装置１００から配信される決済代行サービスに関するアプリケーションそのものを制御情報とみなしてもよい。情報処理装置１００の構成は後述する。
【００４６】
端末装置２００は、ユーザによって利用される情報処理装置である。端末装置２００は、情報処理装置１００によって配信される情報を、ウェブブラウザやアプリケーションにより表示する。また、端末装置２００は、各店舗に対する決済の要求に関する決済情報を情報処理装置１００に送信する。また、端末装置２００は、情報処理装置１００によって配信される情報の表示処理を実現する制御情報を情報処理装置１００から受け取った場合には、制御情報に従って表示処理を実現する。また、端末装置２００は、端末装置２００を利用するユーザの属性情報（例えば、性別、年齢など）や、電子商取引サービス等の各種サービスにおける利用履歴（例えば、購入履歴など）を取得し、情報処理装置１００に送信する。端末装置２００の構成は後述する。
【００４７】
店舗端末１０は、各店舗の管理者（店舗の責任者や、店員等）によって利用される情報処理装置である。店舗端末１０は、例えば、ＰＯＳ端末や、スマートフォンや、タブレット型端末や、ノート型ＰＣや、デスクトップＰＣや、携帯電話機や、ＰＤＡ等により実現され、情報処理装置１００との間で情報の送受信を行う。また、店舗端末１０は、商品を識別するための情報である商品識別情報（例えば、バーコード）に対応付けて、店舗における取引対象である商品に関する商品情報（例えば、商品名、商品の価格、在庫など）を記憶部に格納する。
【００４８】
また、店舗端末１０は、商品識別情報を読み取り可能なスキャン装置を備える。そして、店舗端末１０は、ユーザが提示した商品に付された商品識別情報を読み取り、読み取った商品識別情報によって記憶部から特定される商品情報に含まれる商品の価格を、ユーザによる決済金額として受け付ける。また、店舗端末１０は、端末装置２００の画面に表示されたユーザ識別情報を読み取り、受け付けた決済金額と、読み取ったユーザ識別情報とを、端末装置２００を利用するユーザによる店舗端末１０を利用する店舗への決済の要求（決済情報）として情報処理装置１００に送信する。
【００４９】
〔３．情報処理装置の構成〕
次に、図４を用いて、情報処理装置１００の構成について説明する。図４は、実施形態に係る情報処理装置の構成例を示す図である。図４に示すように、情報処理装置１００は、通信部１１０と、記憶部１２０と、制御部１３０とを有する。
【００５０】
（通信部１１０について）
通信部１１０は、例えば、ＮＩＣ（Network  Interface  Card）等によって実現される。そして、通信部１１０は、ネットワークＮと有線または無線で接続され、端末装置２００、店舗端末１０等との間で情報の送受信を行う。
【００５１】
（記憶部１２０について）
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。図４に示すように、記憶部１２０は、広告情報記憶部１２１と、ユーザ情報記憶部１２２とを有する。
【００５２】
（広告情報記憶部１２１について）
広告情報記憶部１２１は、各店舗に関する情報、並びに、各店舗の管理者等が入稿した広告に関する情報を記憶する。ここで、図５を用いて、広告情報記憶部１２１が記憶する店舗情報の一例を説明する。図５は、実施形態に係る広告情報記憶部の一例を示す図である。図５の例では、広告情報記憶部１２１は、「店舗」、「店舗ＩＤ」、「所在地」、「広告ＩＤ」、「広告」、「価格」、「二次元コードデータ」、「配信条件」、「在庫」といった項目を有する。
【００５３】
「店舗」は、店舗の名称を示す。「店舗ＩＤ」は、店舗を識別するための店舗識別情報を示す。なお、図５では、「店舗ＩＤ」に「ＳＨ１」といった概念的な情報が格納される例を示したが、ユーザが利用する端末装置によって受付可能なＱＲコード（登録商標）等によって示される具体的な情報、または、その格納場所を示すファイルパス名、ＵＲＬなどが格納される。
【００５４】
「所在地」は、店舗の所在地を示す。「広告ＩＤ」は、店舗の管理者等が入稿した広告情報を識別するための識別情報を示す。「広告」は、店舗の管理者等が入稿した広告を示す。なお、図５では、「広告」に「ＣＴ１１」といった概念的な情報が格納される例を示したが、実際には、広告文や広告に関連する画像等の具体的な情報、または、その格納場所を示すファイルパス名、ＵＲＬなどが格納される。
【００５５】
「価格」は、広告に対応する商品の価格を示す。「二次元コードデータ」は、広告に対応する商品を店舗端末によって識別するための商品識別情報を示す。なお、図５では、「二次元コードデータ」に「コード１１」といった概念的な情報が格納される例を示したが、実際には、店舗端末によって読み取り可能なバーコード等によって示される具体的な情報、または、その格納場所を示すファイルパス名、ＵＲＬなどが格納される。
【００５６】
「配信条件」は、広告を入稿した店舗の管理者等によって設定される、広告の配信条件に関する情報を示す。なお、図５では、「配信条件」に「条件１」といった概念的な情報が格納される例を示したが、実際には、配信先として抽出されるユーザの属性情報（年齢や性別等）や、広告にかかる商品の商品カテゴリ、ユーザのサービスの利用履歴の指定や、広告を配信する際の店舗の状況（例えば、店舗周辺の天候、時間帯など）の指定等の情報が記憶される。
【００５７】
「在庫」は、広告にかかる商品の有無を示す。なお、「在庫」に格納される情報は、例えば、店舗が利用する端末装置等から送信される情報に基づいて更新されてもよい。
【００５８】
すなわち、図５では、店舗ＩＤ「ＳＨ１」によって識別され、「Ｄ県Ｅ市・・・」に所在する店舗「店舗Ａ」の管理者が、広告ＩＤ「ＡＤ１１」によって識別される広告情報（広告「ＣＴ１１」、価格「１００（円）」、二次元データコード「コード１１」）を入稿し、配信条件「条件１」が設定され、広告の商品にかかる商品の在庫が有る例を示す。
【００５９】
（ユーザ情報記憶部１２２について）
ユーザ情報記憶部１２２は、ユーザに関する各種情報を記憶する。ここで、図６を用いて、ユーザ情報記憶部１２２が記憶するユーザ情報の一例を説明する。図６は、実施形態に係るユーザ情報記憶部の一例を示す図である。図６の例では、ユーザ情報記憶部１２２は、「ユーザＩＤ」、「ユーザ属性」、「利用履歴」といった項目を有する。
【００６０】
「ユーザＩＤ」は、ユーザを識別するための情報であるユーザ識別情報を示す。なお、図６では、「ユーザＩＤ」に「Ｕ１」といった概念的な情報が格納される例を示したが、実際には、店舗端末によって読み取り可能なバーコード等によって示される具体的な情報、または、その格納場所を示すファイルパス名、ＵＲＬなどが格納される。
【００６１】
「ユーザ属性」は、ユーザの属性に関する情報であり、「性別」、「年齢」といった項目が含まれる。「利用履歴」は、ユーザに提供されるサービスにおけるユーザの利用履歴に関する情報であり、例えば、電子商取引サービス等において購入した商品の履歴などが含まれる。
【００６２】
すなわち、図６では、ユーザＩＤ「Ｕ１」によって識別され、性別が「男」、年齢が「３０代」であるユーザに提供されるサービスにおける利用履歴が「履歴１」である例を示す。
【００６３】
（制御部１３０について）
制御部１３０は、コントローラ（controller）であり、例えば、ＣＰＵ（Central  Processing  Unit）やＭＰＵ（Micro  Processing  Unit）等によって、情報処理装置１００内部の記憶装置に記憶されている各種プログラムがＲＡＭを作業領域として実行されることにより実現される。また、制御部１３０は、コントローラであり、例えば、ＡＳＩＣ（Application  Specific  Integrated  Circuit）やＦＰＧＡ（Field  Programmable  Gate  Array）等の集積回路により実現される。実施形態に係る制御部１３０は、図４に示すように、特定部１３１と、配信部１３２とを有し、以下に説明する情報処理の機能や作用を実現または実行する。
【００６４】
（特定部１３１について）
特定部１３１は、ユーザが利用する端末装置の位置を示す位置情報に基づいて店舗を特定する。例えば、図２の例において、特定部１３１は、後述する端末装置２００のＧＰＳ受信アンテナ２６０が受信した端末装置２００の位置情報に基づいて広告情報記憶部１２１を参照する。そして、特定部１３１は、広告情報記憶部１２１に格納されている「所在地」が、端末装置２００の位置情報に対応する店舗を、ユーザＵ１が来店している店舗として特定する。
【００６５】
（配信部１３２について）
配信部１３２は、特定部１３１が特定した店舗における取引対象に関する情報であって、端末装置による店舗に対する決済を行うための画面に表示される情報である対象情報を端末装置に配信する。例えば、図２の例において、配信部１３２は、広告情報記憶部１２１を参照して、特定部１３１が特定した店舗Ａにおける取引対象である商品の広告を、端末装置２００の画面Ｗ５に表示される広告として配信する。
【００６６】
また、配信部１３２は、特定部１３１が特定した店舗が利用する端末装置において受付可能な情報を含む対象情報を配信してもよい。例えば、配信部１３２は、端末装置による店舗に対する決済を行うための画面に表示される広告とともに、広告にかかる商品を店舗端末によって識別するための商品識別情報を配信する。図２の例では、配信部１３２は、広告にかかる商品を店舗端末１０によって識別するためのバーコードを、広告と共に端末装置２００に配信する。
【００６７】
〔４．端末装置の構成〕
次に、図７を用いて、端末装置２００の構成について説明する。図７は、実施形態に係る端末装置の構成例を示す図である。図７に示すように、端末装置２００は、通信部２１０と、記憶部２２０と、入力部２３０と、出力部２４０と、撮像部２５０と、ＧＰＳ受信アンテナ２６０と、制御部２７０とを有する。
【００６８】
（通信部２１０について）
通信部２１０は、例えば、ＮＩＣ等によって実現される。そして、通信部２１０は、ネットワークＮと有線または無線で接続され、情報処理装置１００等との間で情報の送受信を行う。
【００６９】
（記憶部２２０について）
記憶部２２０は、例えば、ＲＡＭ、フラッシュメモリ等の半導体メモリ素子、または、ハードディスク、光ディスク等の記憶装置によって実現される。
【００７０】
（入力部２３０及び出力部２４０について）
入力部２３０は、ユーザから各種操作を受け付ける入力装置である。例えば、入力部２３０は、キーボードやマウスや操作キー等によって実現される。出力部２４０は、各種情報を表示するための表示装置である。つまり、出力部２４０は、端末装置２００の表示画面に相当する。例えば、出力部２４０は、液晶ディスプレイ等によって実現される。なお、端末装置２００にタッチパネルが採用される場合には、入力部２３０と出力部２４０とは一体化される。
【００７１】
（撮像部２５０について）
撮像部２５０は、レンズ等の光学系と、ＣＣＤ（Charge  Coupled  Device）イメージセンサ、ＣＭＯＳ（Complementary  Metal  Oxide  Semiconductor）センサ等の撮像素子と、を有する。
【００７２】
（ＧＰＳ受信アンテナ２６０について）
ＧＰＳ受信アンテナ２６０は、ＧＰＳ等の衛星測位システムに用いられる信号を衛星から受信するためのアンテナである。
【００７３】
（制御部２７０について）
制御部２７０は、コントローラであり、例えば、ＣＰＵやＭＰＵ等によって、端末装置２００内部の記憶装置に記憶されている各種プログラムがＲＡＭを作業領域として実行されることにより実現される。なお、制御部２７０は、上述した情報処理を実現する制御情報又はアプリケーションを情報処理装置１００から配信された場合、かかる制御情報又はアプリケーションに従って動作し、表示処理を実現する。
【００７４】
また、制御部２７０は、コントローラであり、例えば、ＡＳＩＣやＦＰＧＡ等の集積回路により実現される。実施形態に係る制御部２７０は、図７に示すように、取得部２７１と、表示部２７２と、更新部２７３とを有し、以下に説明する情報処理の機能や作用を実現または実行する。
【００７５】
（取得部２７１について）
取得部２７１は、ユーザが来店した店舗を識別するための情報である識別情報に基づいて、店舗における取引対象に関する情報である対象情報を取得する。例えば、図１の例において、取得部２７１は、撮像部２５０が撮像した管理者Ｍ１が保持する店舗Ａを識別するための情報である店舗識別情報（ＱＲコード（登録商標））に基づいて、情報処理装置１００の広告情報記憶部１２１から店舗Ａの広告情報（例えば、広告及び広告にかかる商品の価格）を取得する。
【００７６】
また、取得部２７１は、ユーザに関する情報に基づいて対象情報を取得してもよい。例えば、図１の例において、取得部２７１は、店舗識別情報と、端末装置２００を利用するユーザＵ１を識別するための情報であるユーザ識別情報とに基づいて、情報処理装置１００の広告情報記憶部１２１から店舗Ａの広告情報（例えば、広告及び広告にかかる商品の価格）を取得する。例えば、取得部２７１は、ユーザ識別情報によって特定されるユーザ情報記憶部１２２に格納されたユーザＵ１に関する各種情報に基づいて、広告情報記憶部１２１から店舗Ａの広告情報を取得する。
【００７７】
また、取得部２７１は、ユーザの属性情報又は購入履歴に基づいて対象情報を取得してもよい。例えば、図１の例において、取得部２７１は、ユーザ情報記憶部１２２に格納されたユーザＵ１に関する属性情報又は電子商取引サービスにおける利用履歴（購入履歴）に対応する配信条件が設定されている店舗Ａの広告情報を、広告情報記憶部１２１から取得する。例えば、図６に示すように、ユーザＵ１のユーザ識別情報（ユーザＩＤ）「Ｕ１」に対応する属性情報として、性別「男」、年齢「３０代」がユーザ情報記憶部１２２に格納されているものとする。この場合、取得部２７１は、性別「男」、年齢「３０代」といった属性情報が配信条件として設定されている店舗Ａの広告情報を広告情報記憶部１２１から取得する。
【００７８】
また、例えば、電子商取引サービスにおけるユーザＵ１の利用履歴（図６に示す利用履歴「履歴１」に含まれる情報）から、ユーザＵ１が興味関心を有する商品カテゴリとして、「健康飲料」が推定されたものとする。この場合、取得部２７１は、商品カテゴリ「健康飲料」が配信条件として設定されている店舗Ａの広告情報を広告情報記憶部１２１から取得する。
【００７９】
また、取得部２７１は、店舗に対する決済を行う際の天候情報に基づいて対象情報を取得してもよい。例えば、図１の例において、取得部２７１は、店舗Ａ周辺の天候情報を取得する。そして、取得部２７１は、取得した天候情報に対応する配信条件が設定されている店舗Ａの広告情報を広告情報記憶部１２１から取得する。
【００８０】
また、取得部２７１は、店舗に対する決済を行う際の時間帯に基づいて対象情報を取得してもよい。例えば、図１の例において、取得部２７１は、広告情報を取得する際の時間帯等を示す時刻情報に対応する時間帯が配信条件に設定されている店舗Ａの広告情報を広告情報記憶部１２１から取得する。
【００８１】
また、取得部２７１は、店舗に対する決済金額に基づいて対象情報を取得してもよい。例えば、図１に示すように、ユーザＵ１が入力した店舗Ａに対する決済金額が「５００（円）」である場合、取得部２７１は、広告情報記憶部１２１の「価格」の項目に５００円以下の金額が設定されている広告情報を取得しない。
【００８２】
なお、取得部２７１は、店舗に対する決済金額に基づいてユーザが購入する商品が特定可能である場合、特定した商品に関する情報に基づいて対象情報を取得してもよい。例えば、取得部２７１は、決済金額から特定した商品と関連する商品カテゴリが配信条件に設定されている広告情報を広告情報記憶部１２１から取得する。
【００８３】
また、取得部２７１は、店舗が利用する端末装置周辺の取引対象に関する対象情報を取得してもよい。例えば、店舗の管理者が店舗のレジ周辺に陳列する商品にかかる広告情報を情報処理装置１００に入稿し、取得部２７１は、入稿された広告情報を取得する。
【００８４】
また、取得部２７１は、店舗の管理者により提供可能な取引対象に関する対象情報を取得してもよい。例えば、図１の例において、取得部２７１は、店舗Ａの管理者等によって入稿された広告情報のうち、「在庫」の項目に「有」が格納されている広告情報を広告情報記憶部１２１から取得する。
【００８５】
また、取得部２７１は、対象情報として店舗における取引対象である商品に関する広告を取得してもよい。例えば、図１の例において、取得部２７１は、店舗Ａの管理者等によって入稿された店舗における取引対象の商品の広告を、広告情報記憶部１２１から取得する。
【００８６】
（表示部２７２について）
表示部２７２は、取得部２７１が取得した対象情報を店舗に対する決済を行うための画面に表示する。例えば、図１の例において、表示部２７２は、情報処理装置１００が提供する決済代行サービスにおいて、ユーザＵ１が店舗Ａに対する決済情報を入力した後に表示する画面Ｗ３において、取得部２７１が取得した広告情報を領域ＡＲ５に表示する。
【００８７】
（更新部２７３について）
更新部２７３は、表示部２７２が表示した対象情報が選択された場合、選択された対象情報に対応する取引対象の価格に基づいて店舗に対する決済金額を更新する。例えば、図１の例において、更新部２７３は、表示部２７２が画面Ｗ３の領域ＡＲ５に表示した広告がユーザＵ１に選択された場合、領域ＡＲ４に表示した決済金額、並びに、ユーザＵ１が画面Ｗ２において入力した決済情報に含まれる決済金額を、広告にかかる商品の価格を追加した金額に更新する。
【００８８】
〔５．表示処理のフロー〕
ここで、図８を用いて、第１の実施形態に係る情報処理システム１の情報処理の手順について説明する。図８は、第１の実施形態に係る情報処理手順の一例を示すフローチャートである。
【００８９】
図８に示すように、端末装置２００は、ユーザから決済情報の入力を受け付ける（ステップＳ１０１）。続いて、端末装置２００は、店舗を識別するための情報である識別情報に基づいて店舗における対象情報を取得する（ステップＳ１０２）。続いて、端末装置２００は、取得した対象情報を画面に表示する（ステップＳ１０３）。例えば、図１の例では、端末装置２００は、情報処理装置１００が提供する決済代行サービスにおいて、ユーザＵ１が店舗Ａに対する決済情報を入力した後に表示する画面Ｗ３に、取得した広告情報にかかる広告を表示する。
【００９０】
続いて、端末装置２００は、表示した対象情報が選択されない場合（ステップＳ１０４；Ｎｏ）、ステップＳ１０１において入力された決済情報を情報処理装置１００に送信し（ステップＳ１０７）、処理を終了する。
【００９１】
一方、表示した対象情報が選択された場合（ステップＳ１０４；Ｙｅｓ）、端末装置２００は、選択された対象情報に対応する取引対象の価格に基づいて決済情報に含まれる決済金額を更新する（ステップＳ１０５）。続いて、端末装置２００は、更新後の決済金額を含む決済情報を情報処理装置１００に送信し（ステップＳ１０７）、処理を終了する。
【００９２】
〔６．変形例〕
上述の実施形態は一例を示したものであり、種々の変更及び応用が可能である。
【００９３】
〔６−１．画面に表示する情報について〕
上述の実施形態において、表示部２７２が、取得部２７１が取得した広告情報に含まれる広告を画面に表示するものとしたが、表示部２７２は、広告に限らず、種々の情報を画面に表示してもよい。
〔６−２．対象情報の取得に利用する情報について〕
取得部２７１は、情報処理装置１００のユーザ情報記憶部１２２に格納されたユーザ情報や、時刻情報、天候情報等に限らず、情報処理装置１００及び端末装置２００から取得可能な情報であれば、あらゆる情報を処理に利用してもよい。例えば、取得部２７１は、店舗の管理者が入稿した広告がユーザによって選択された回数や、端末装置２００を利用するユーザが選択する広告の傾向等の情報を取得してもよい。また、取得部２７１は、情報処理装置１００及び端末装置２００のみならず、端末装置２００がアクセスしたウェブサーバ等の外部サーバから情報の提供を受けてもよい。
【００９４】
〔７．効果〕
上述してきたように、実施形態に係る端末装置２００は、取得部２７１と、表示部２７２と、更新部２７３とを有する。取得部２７１は、店舗を識別するための情報である識別情報に基づいて、店舗における取引対象に関する情報である対象情報を取得する。また、表示部２７２は、取得部２７１が取得した対象情報を店舗に対する決済を行うための画面に表示する。また、更新部２７３は、表示部２７２が表示した対象情報が選択された場合、選択された対象情報に対応する取引対象の価格に基づいて店舗に対する決済金額を更新する。
【００９５】
これにより、実施形態に係る端末装置２００は、ユーザが注視することが想定される決済を行うための画面に対象情報を表示することにより、対象情報にかかる商品等の購入を促進することができるため、ユーザのついで買いを促進できる。
【００９６】
また、実施形態に係る端末装置２００において、例えば、取得部２７１は、ユーザに関する情報に基づいて対象情報を取得する。
【００９７】
これにより、実施形態に係る端末装置２００は、ユーザに関する情報に基づいて対象情報を取得するため、訴求効果の高い対象情報を提供できる。
【００９８】
また、実施形態に係る端末装置２００において、例えば、取得部２７１は、ユーザの属性情報又は購入履歴に基づいて対象情報を取得する。
【００９９】
これにより、実施形態に係る端末装置２００は、ユーザの属性情報や、購入履歴に基づいて対象情報を取得するため、ユーザの属性や購入履歴に合致した訴求効果の高い対象情報を提供できる。
【０１００】
また、実施形態に係る端末装置２００において、例えば、取得部２７１は、店舗に対する決済を行う際の天候情報に基づいて対象情報を取得する。
【０１０１】
これにより、実施形態に係る端末装置２００は、天候に応じた対象情報を取得するため、訴求効果の高い対象情報を提供できる。
【０１０２】
また、実施形態に係る端末装置２００において、例えば、取得部２７１は、店舗に対する決済を行う際の時間帯に基づいて対象情報を取得する。
【０１０３】
これにより、実施形態に係る端末装置２００は、時間帯に応じた対象情報を取得するため、訴求効果の高い対象情報を提供できる。
【０１０４】
また、実施形態に係る端末装置２００において、例えば、取得部２７１は、店舗に対する決済金額に基づいて対象情報を取得する。
【０１０５】
これにより、実施形態に係る端末装置２００は、決済金額からユーザの購入商品を推定することにより、購入商品及び対象情報の重複を防止できる。
【０１０６】
また、実施形態に係る端末装置２００において、例えば、取得部２７１は、店舗が利用する端末装置周辺の取引対象に関する対象情報を取得する。
【０１０７】
これにより、実施形態に係る端末装置２００は、店舗の端末装置周辺の取引対象に関する対象情報を対象として取得することにより店舗側が迅速に取引対象を提供可能となるため、店舗側のオペレーションの負担を軽減できる。
【０１０８】
また、実施形態に係る端末装置２００において、例えば、取得部２７１は、店舗の管理者により提供可能な取引対象に関する対象情報を取得する。
【０１０９】
これにより、実施形態に係る端末装置２００は、店舗側が提供可能な取引対象に関する対象情報を提供することで、対象情報に基づくユーザの要求に対し店舗側が確実に応答可能とすることができる。
【０１１０】
また、実施形態に係る端末装置２００において、例えば、取得部２７１は、対象情報として店舗における取引対象である商品に関する広告を取得する。
【０１１１】
これにより、実施形態に係る端末装置２００は、店舗における取引対象の商品に関する広告を提供することで、店舗内の商品のついで買いを促進できる。
【０１１２】
また、上述してきたように、実施形態に係る情報処理装置１００は、特定部１３１と、配信部１３２とを有する。特定部１３１は、ユーザが利用する端末装置の位置を示す位置情報に基づいて店舗を特定する。また、配信部１３２は、特定部１３１が特定した店舗における取引対象に関する情報であって、端末装置による店舗に対する決済を行うための画面に表示される情報である対象情報を端末装置に配信する。
【０１１３】
これにより、実施形態に係る情報処理装置１００は、ユーザが注視することが想定される決済を行うための画面に表示される対象情報を配信することにより、対象情報にかかる商品等の購入を促進することができるため、ユーザのついで買いを促進できる。
【０１１４】
また、実施形態に係る情報処理装置１００において、例えば、配信部１３２は、特定部１３１が特定した店舗が利用する端末装置において受付可能な情報を含む対象情報を配信する。
【０１１５】
これにより、実施形態に係る情報処理装置１００は、店舗側でユーザの端末装置に配信された対象情報に対し対応可能となる為、店舗側のオペレーションの負担を軽減できる。
【０１１６】
〔８．ハードウェア構成〕
また、上述してきた各実施形態に係る端末装置は、例えば図９に示すような構成のコンピュータ１０００によって実現される。以下、端末装置２００を例に挙げて説明する。図９は、端末装置の機能を実現するコンピュータの一例を示すハードウェア構成図である。コンピュータ１０００は、ＣＰＵ１１００、ＲＯＭ１２００、ＲＡＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１１７】
ＣＰＵ１１００は、ＲＯＭ１２００又はＨＤＤ１４００に格納されたプログラムに基づいて動作し、各部の制御を行う。ＲＯＭ１２００は、コンピュータ１０００の起動時にＣＰＵ１１００によって実行されるブートプログラムや、コンピュータ１０００のハードウェアに依存するプログラム等を格納する。
【０１１８】
ＨＤＤ１４００は、ＣＰＵ１１００によって実行されるプログラム、及び、かかるプログラムによって使用されるデータ等を記憶する。通信インターフェイス１５００は、通信網５００（実施形態のネットワークＮに対応する）を介して他の機器からデータを受信してＣＰＵ１１００へ送り、また、通信網５００を介してＣＰＵ１１００が生成したデータを他の機器へ送信する。
【０１１９】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【０１２０】
メディアインターフェイス１７００は、記録媒体１８００に格納されたプログラム又はデータを読み取り、ＲＡＭ１３００を介してＣＰＵ１１００に提供する。ＣＰＵ１１００は、かかるプログラムを、メディアインターフェイス１７００を介して記録媒体１８００からＲＡＭ１３００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１２１】
例えば、コンピュータ１０００が端末装置２００として機能する場合、コンピュータ１０００のＣＰＵ１１００は、ＲＡＭ１３００上にロードされたプログラムを実行することにより、制御部２７０の機能を実現する。また、ＨＤＤ１４００には、記憶部２２０内の各データが格納される。コンピュータ１０００のＣＰＵ１１００は、これらのプログラムを記録媒体１８００から読み取って実行するが、他の例として、他の装置から所定の通信網を介してこれらのプログラムを取得してもよい。
【０１２２】
〔９．その他〕
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１２３】
また、上述した端末装置２００は、機能によっては外部のプラットフォーム等をＡＰＩ（Application  Programming  Interface）やネットワークコンピューティングなどで呼び出して実現するなど、構成は柔軟に変更できる。
【０１２４】
また、特許請求の範囲に記載した「部」は、「手段」や「回路」などに読み替えることができる。例えば、取得部は、取得手段や取得回路に読み替えることができる。
【符号の説明】
【０１２５】
１        情報処理システム
１０      店舗端末
１００    情報処理装置
１１０    通信部
１２０    記憶部
１２１    広告情報記憶部
１２２    ユーザ情報記憶部
１３０    制御部
１３１    特定部
１３２    配信部
２００    端末装置
２１０    通信部
２２０    記憶部
２３０    入力部
２４０    出力部
２５０    撮像部
２６０    ＧＰＳ受信アンテナ
２７０    制御部
２７１    取得部
２７２    表示部
２７３    更新部
【図１】
2020027515.tif 000003
【図２】
2020027515.tif 000004
【図３】
2020027515.tif 000005
【図４】
2020027515.tif 000006
【図５】
2020027515.tif 000007
【図６】
2020027515.tif 000008
【図７】
2020027515.tif 000009
【図８】
2020027515.tif 000010
【図９】
2020027515.tif 000011